(57)【特許請求の範囲】
【請求項１】
遊技機の遊技盤に取り付けられ、
遊技球を転動させる転動部と、
前記転動部を転動した前記遊技球を排出する排出部と、
を備える遊技球転動ステージであって、
前記遊技球転動ステージを水平面上に置いたとき、前記水平面と接地する底面部を備え、
前記底面部は、前記遊技球転動ステージを前記水平面上に置いたときと、背面側に所定の角度傾いている前記遊技盤に取り付けたときとで、同じ条件で遊技球の転動試験を行うことができるように、前記遊技球転動ステージの傾きが略同一となるように形成されており、
前記遊技球転動ステージを前記水平面上に置いたとき、前記底面部において前記水平面と接地する面は、前記水平面と略平行となるように形成されていることを特徴とする遊技球転動ステージ。
【発明の詳細な説明】
【技術分野】
【０００１】
本発明は、遊技機の遊技盤に取り付けられ、遊技球を転動させる遊技球転動ステージ、
及び遊技機に関する。
【背景技術】
【０００２】
遊技機には、遊技球の流下態様を興趣深くするために、遊技球を転動させる遊技球転動
ステージを備えるものがある。遊技球転動ステージは、その微妙な傾きの相違により、遊
技球の転動状態が大きく変化してしまうため、傾きを正確に調整する必要がある。そこで
、遊技球転動ステージの傾きを調整する機構を設ける技術が提案されている（特許文献１
参照）。
【先行技術文献】
【特許文献】
【０００３】
【特許文献１】特開２００４−１２９８２６号公報
【発明の概要】
【発明が解決しようとする課題】
【０００４】
遊技球転動ステージにおける遊技球の転動状態は、実際に遊技球を遊技球転動ステージ
上で転動させる転動試験を行わないと分からない。よって、遊技球転動ステージの設計／
開発は、遊技球の転動試験を行いながらでないと進めることができない。従来、遊技球の
転動試験は、遊技球転動ステージ及びその他の部材を遊技機に取り付けて行ってきた。
【０００５】
ところで、遊技機の開発においては、遊技球転動ステージだけでなく、他の部材（役物
、遊技盤等）も並行して開発されることが多い。この場合、遊技球転動ステージ以外の部
材が完成し、全ての部材を遊技機に取り付けるまで、遊技球転動ステージの転動試験を行
うことができなかった。その結果、遊技球転動ステージの開発期間が延びてしまうという
問題があった。
【０００６】
本発明は以上の点に鑑みなされたものであり、開発期間が短くて済む遊技球転動ステー
ジ、及び遊技機を提供することを目的とする。
【課題を解決するための手段】
【０００７】
（１）請求項１の発明は、
遊技機の遊技盤に取り付けられ、遊技球を転動させる転動部と、前記転動部を転動した前記遊技球を排出する排出部と、を備える遊技球転動ステージであって、前記遊技球転動ステージを水平面上に置いたとき、前記水平面と接地する底面部を備え、前記底面部は、前記遊技球転動ステージを前記水平面上に置いたときと、背面側に所定の角度傾いている前記遊技盤に取り付けたときとで、同じ条件で遊技球の転動試験を行うことができるように、前記遊技球転動ステージの傾きが略同一となるように形成されており、前記遊技球転動ステージを前記水平面上に置いたとき、前記底面部において前記水平面と接地する面は、前記水平面と略平行となるように形成されていることを特徴とする遊技球転動ステージを要旨とする。
【０００８】
本発明の遊技球転動ステージは、単体で水平面上においたとき、遊技機に取り付けたときと略同一の傾きとなるから、遊技球転動ステージを遊技機に取り付けず、単体で水平面上においた状態でも、遊技機に取り付けたときと同じ条件で、遊技球の転動試験を行うことができる。その結果、遊技機における他の部材が完成しなくても、遊技球の転動試験を行うことができるので、遊技球転動ステージの開発期間が短くて済む。
【００１０】
遊技盤は、背面方向に所定の角度（例えば１°）まで傾いていることが規則により許容される。本発明によれば、遊技盤が背面側に傾いている場合でも、遊技球転動ステージの傾きを、遊技盤に取り付けたときと、単体で水平面上においたときとで略同一とすることができる。そのため、遊技球転動ステージを遊技機に取り付けず、単体で水平面上においた状態でも、遊技機に取り付けたときと同じ条件で、遊技球の転動試験を行うことができる。その結果、遊技機における他の部材が完成しなくても、遊技球の転動試験を行うことができるので、遊技球転動ステージの開発期間が短くて済む。
【００１１】
本発明の遊技球転動ステージでは、底面部において水平面と接地する面が、水平面と略平行となるように形成されているため、遊技球転動ステージが水平面上に安定して立ち、遊技球の転動試験における正確性が増す。
【図面の簡単な説明】
【００１９】
【図１】遊技機１の構成を表す正面図である。
【図２】遊技球転動ステージ２７の構成を表す斜視図である。
【図３】遊技球転動ステージ２７の構成を表す正面図である。
【図４】遊技球転動ステージ２７の構成を表す上面図である。
【図５】遊技球転動ステージ２７の構成を表す側面図であり、（ａ）は遊技球８を第２底面部１１１、１１３に取り付けた状態を表し、（ｂ）は遊技球８を第２底面部１１１、１１３に取り付けていない状態を表す。
【図６】第２底面部１１１の構成を表す説明図であり、（ａ）は斜視図であり、（ｂ）は正面図であり、（ｃ）は側面図であり、（ｄ）は背面図である。
【図７】遊技球転動ステージ２７の構成を表す側面図であり、（ａ）は第２底面部１１１、１１３を高くした状態を表し、（ｂ）は第２底面部１１１、１１３を低くした状態を表す。
【図８】遊技球転動ステージ２７の構成を表す側面図であり、（ａ）は第２底面部１１１、１１３を高くした状態を表し、（ｂ）は第２底面部１１１、１１３を低くした状態を表す。
【図９】遊技球転動ステージ２７の構成を表す側面図であり、（ａ）は遊技球８を第２底面部１１１、１１３に取り付けた状態を表し、（ｂ）は遊技球８を第２底面部１１１、１１３に取り付けていない状態を表す。
【図１０】正面―背面方向における遊技球転動ステージ２７の傾きを表す説明図である。
【図１１】遊技盤６に対する遊技球転動ステージ２７の傾きを表す説明図である。
【図１２】遊技機１に対する遊技盤６の傾きを表す説明図である。
【図１３】遊技島２に対する遊技機１の傾きを表す説明図である。
【発明を実施するための形態】
【００２０】
本発明の実施形態を図面に基づいて説明する。
【実施例１】
【００２１】
１．遊技機１の構成
本発明の遊技球転動ステージを適用した遊技機１の全体構成を図１に基づいて説明する
。図１は遊技機１の正面図である。遊技機１は、図示しない遊技場に来場した遊技者にパ
チンコ遊技を提供するものであって、遊技島２（後述する図１３参照）に取り付けられる
外枠３と、外枠３に開閉可能に取り付けられた内枠５と、内枠５に取り付けられ、遊技者
に対面して配置された遊技盤６と、遊技者が遊技行為を行うために遊技盤６上に遊技球８
を発射するためのハンドル９と、遊技盤６における遊技行為の結果として提供される賞品
、ここでは遊技球８（賞品として払い出される遊技球８を賞品球と言う。）を貯留する上
受け皿１２と、上受け皿１２から排出される遊技球８を受ける下受け皿１３と、内枠５に
取り付けられ、遊技を提供するための制御を行う主制御基板（図示略）とを備えている。
【００２２】
次に、上記遊技盤６の構成を説明する。遊技盤６は、その中央に、遊技者に興趣のある
図柄を提示する図柄表示装置２１を備えている。また、遊技盤６は、遊技球８が入賞する
と、特別図柄始動信号を出力する機能を有する始動入賞口２３を備える。また、遊技盤６
は、始動入賞口２３の下側に、横長矩形状に形成された大入賞口２５を備えている。大入
賞口２５は、通常時は、遊技球が入賞できないか又は入賞し難い閉状態になっており、大
当たりの際に遊技球が入賞しやすい開状態と通常時の閉状態との状態を交互に繰り返すよ
うに作動する。詳しくは、始動入賞口２３に遊技球が入賞すると、図柄表示装置２１で図
柄が変動表示され、その停止後の確定図柄が予め設定した特定の図柄の組合せとなったこ
とを必要条件に特別遊技状態が発生する。特別遊技状態が発生すると、大入賞口２５が、
遊技球が入賞しやすい状態、即ち所定の開状態となるよう構成されている。具体的には、
所定時間の経過又は所定個数の入賞を１ラウンドとして、大入賞口２５が所定回数繰り返
し開放される（開状態となる）。遊技球が始動入賞口２３を通過した回数は最大４回まで
保留され、その保留回数が図示しない特別図柄記憶表示装置にて点灯表示されるようにな
っている。
【００２３】
また、遊技盤６は、図柄表示装置２１の下方であって、大入賞口２５の上方に、遊技球
転動ステージ２７を備えている。遊技球転動ステージ２７は、その上で遊技球８を転動さ
せてから、遊技球８を下方に排出する。なお、遊技球転動ステージ２７の構成は後に詳述
する。また、遊技盤６は、遊技球８が通過すると、普通図柄遊技用の普通図柄始動信号を
出力する機能を有する普通図柄始動ゲート３５と、普通図柄遊技の結果を表示する普通図
柄表示装置（図示略）と、普通図柄遊技の保留数を表示する普通図柄記憶表示装置（図示
略）とを備えている。
【００２４】
２．遊技球転動ステージ２７の構成
次に、図２〜図６に基づいて、遊技球転動ステージ２７の構成を説明する。図２は遊技
球転動ステージ２７の斜視図であり、図３は正面図であり、図４は上面図であり、図５は
側面図であり、図６は後述する第２底面部の拡大図である。
【００２５】
遊技球転動ステージ２７は、ステージ本体部１０１を備えている。ステージ本体部１０
１は、遊技機１に取り付けられた状態において、正面―背面方向に関しては略水平な面で
ある。なお、正面方向とは、図３における手前方向であり、図４における下方向である。
この正面−背面方向は、遊技球転動ステージ２７を遊技機１に取り付けたとき、遊技機１
の正面―背面方向と一致する。ステージ本体部１０１は、左右方向に関しては、その中央
部１０１ａでは略水平であり、左方部１０１ｂでは、左側が高くなるように傾斜し、右方
部１０１ｃでは、右側が高くなるように傾斜している。なお、左右方向とは、図３、図４
における左右方向である。この左右方向は、遊技球転動ステージ２７を遊技機１に取り付
けたとき、遊技機１の左右方向と一致する。
【００２６】
また、ステージ本体部１０１は、左右方向に延びる仕切板１０３により、正面側と背面
側とに２分されている。ただし、仕切板１０３は、切り欠き部１０３ａ、１０３ｂ、１０
３ｃにおいて切り欠かれており、それらの部分では、遊技球８がステージ本体部１０１の
正面側と背面側との間を容易に移動できる。
【００２７】
また、ステージ本体部１０１の中央部１０１ａでは、仕切板１０３よりも背面側の部分
が、仕切板１０３より正面側の部分と比べて、一段高くなっている。
また、ステージ本体部１０１の正面側には、前縁板１０５が取り付けられている。前縁
板１０５の上端は、ステージ本体部１０１よりも一段高くなっているが、中央部において
は切り欠かれている。この切り欠き部を排出部１０７とする。
【００２８】
また、前縁板１０５は、ステージ本体部１０１よりも下側に突出しており、その中央部
は、遊技球転動ステージ２７を遊技機１から取り外し、水平面上に置いたとき、水平面に
接地する。以下、この部分を、第１底面部１０９とする。
【００２９】
ステージ本体部１０１の中央部１０１ａにおける下側のうち、背面側には、一対の第２
底面部１１１、１１３が形成されている。この第２底面部１１１、１１３は、遊技球転動
ステージ２７を遊技機１から取り外し、水平面上に置いたとき、その水平面に接地する。
第２底面部１１１は、図６に示すように、下面が開放されるとともに、正面側の側面が略
円状に切り欠かれた略箱形状を有している。なお、図６（ａ）は第２底面部１１１の斜視
図であり、図６（ｂ）は正面図であり、図６（ｃ）は側面図であり、図６（ｄ）は背面図
である。第２底面部１１１は、図６（ｂ）〜（ｄ）に示すように、その内部に遊技球８を
保持することができる。また、第２底面部１１１は、図６（ａ）に示すように、遊技球８
を保持しない状態としてもよい。第２底面部１１１に遊技球８を保持したとき、図６（ｂ
）〜（ｄ）に示すように、遊技球８の下端は、第２底面部１１１の下方に突出する。よっ
て、第２底面部１１１の高さは、遊技球８を保持したときは、遊技球８を保持しないとき
よりも、高くなる。第２底面部１１１は、図６（ａ）、（ｄ）に示すように、その背面側
の側面に、遊技球８よりも径の小さい穴１１５を備えている。第２底面部１１１に遊技球
８を保持したとき、遊技球８の球面の一部がこの穴１１５にはまることで、遊技球８を安
定して保持できる。また、この穴１１５の外側から細い棒を差し込むことで、遊技球８を
第２底面部１１１から容易に取り出すことができる。第２底面部１１３も、第２底面部１
１１と同様の構成を備えている。
【００３０】
また、第２底面部１１１、１１３は、遊技球８を保持することなく水平面に接地したと
き、図５（ｂ）に示すように、それらの接地面１１１ａ、１１３ａが、水平面と略平行と
なるように形成されている。
【００３１】
３．遊技球転動ステージ２７、遊技盤６、及び遊技機１の傾きについて
（３−１）正面―背面方向における傾きについて
遊技球転動ステージ２７を遊技盤６から取り外し、図１０に示すように、水平面Ｌ上に
置いたとする。このとき、遊技球転動ステージ２７の第１底面部１０９、及び第２底面部
１１１、１１３（図２〜図６参照）が水平面Ｌに接地する。
【００３２】
この状態で、図１０に示すように、水平面Ｌに対する、ステージ本体部１０１（特に遊
技球が転動する面）の正面―背面方向における傾きの角度をａとする。ここで、正面―背
面方向における傾きの角度ａとは、ステージ本体部１０１の背面側が低く、正面側が高く
なるように傾いた場合に正の値となり、その逆に傾いた場合に負の値となる角度である。
角度ａは、第１底面部１０９、及び第２底面部１１１、１１３の高さを調整することで設
定でき、その値は、例えば、０〜１°程度とすることができる。
【００３３】
図１１に示すように、遊技球転動ステージ２７を遊技盤６に取り付けたとする。この遊
技盤６が垂直に設置されている（遊技盤６の主たる面が垂直である）とした場合、図１０
に示すように水平面Ｌ上に設置された状態を基準として、遊技盤６に取り付けられた遊技
球転動ステージ２７の正面―背面方向における傾きの角度をｂとする。角度ｂは、遊技球
転動ステージ２７が背面側に倒れ込むように傾いた場合に正の値となり、正面側に倒れ込
むように傾いた場合に負の値となる。
【００３４】
また、図１２に示すように、遊技盤６を遊技機１に取り付けたとする。この遊技機１が
垂直に設置されている（遊技機１の主たる面が垂直である）とした場合、上記のように遊
技機１に取り付けられた遊技盤６の正面―背面方向における傾きの角度をｃとする。角度
ｃは、遊技盤６が背面側に倒れ込むように傾いた場合に正の値となり、正面側に倒れ込む
ように傾いた場合に負の値となる。
【００３５】
また、図１３に示すように、遊技機１を遊技島２に取り付けたとする。遊技島２に取り
付けられた遊技機１の正面―背面方向における傾きの角度をｄとする。角度ｄは、遊技機
１が背面側に倒れ込むように傾いた場合に正の値となり、正面側に倒れ込むように傾いた
場合に負の値となる。
【００３６】
遊技球転動ステージ２７を遊技盤６に取り付け、その遊技盤６を遊技機１に取り付け、
さらに、その遊技機１を遊技島２に取り付けた状態（すなわち、遊技球転動ステージ２７
を実際に遊技に使用する状態であって、以下では、「遊技使用状態」とする）において、
水平面Ｌに対する、ステージ本体部１０１（特に遊技球が転動する面）の正面―背面方向
における傾きの角度Ｓｍは、ａ＋ｂ＋ｃ＋ｄとなる。遊技球転動ステージ２７は、Ｓｍと
ａとが略同一となるように、第１底面部１０９、及び第２底面部１１１、１１３の高さが
設定されている。
【００３７】
ａ、ｂ、ｃ、ｄの値は、様々に設定することができる。例えば、表１に示すパターン１
〜７のように設定できる。
【００３８】
【表１】
0005915786.tif 000002
なお、Ｓｍとａは完全に同一であってもよいし、わずかに差があってもよい。例えば、
Ｓｍとａとを、それぞれ０〜１°の範囲内で個別に設定できる。
（３−２）左右方向における傾きについて
遊技球転動ステージ２７を水平面Ｌ上に置いた状態で、遊技球転動ステージ２７の中央
部１０１ａは、左右方向に関して、水平である。
【００３９】
一方、遊技球転動ステージ２７を遊技盤６に取り付けた状態において、遊技球転動ステ
ージ２７の中央部１０１ａは、左右方向に関して、水平である。さらに、その遊技盤６を
遊技機１に取り付けた状態でも、遊技球転動ステージ２７の中央部１０１ａは、左右方向
に関して、水平である。さらに、その遊技機１を遊技島２に取り付けたときも、遊技球転
動ステージ２７の中央部１０１ａは、左右方向に関して、水平である。
【００４０】
すなわち、ステージ本体部１０１（特に遊技球が転動する面）の左右方向における傾き
は、遊技球転動ステージ２７を水平面Ｌ上に設置した状態と、遊技使用状態とで同じとな
る。
【００４１】
４．遊技球転動ステージ２７の作用
（１）遊技球転動ステージ２７が遊技機１に取り付けられたときの作用
遊技球転動ステージ２７は、上述したように、遊技機１に対し、図１に示す位置に取り
付けられる。このとき、ステージ本体部１０１の長手方向が、遊技機１の左右方向と平行
になる。また、第１底面部１０９、第２底面部１１１、１１３が下側となる。また、排出
部１０７が遊技機１の正面側に位置する。なお、第２底面部１１１、１１３は、図示しな
いビス穴を備えており、そのビス穴を利用して、遊技球転動ステージ２７は、遊技盤６に
対し取り付けられる。
【００４２】
遊技盤６において、遊技球転動ステージ２７よりも上方から落下してきた遊技球８、又
は遊技球転動ステージ２７よりも下方の釘で跳ね返った遊技球８が、遊技球転動ステージ
２７のステージ本体部１０１に乗ることがある。この場合、遊技球８はステージ本体部１
０１上で転動する。特に、ステージ本体部１０１の左方部１０１ｂ、右方部１０１ｃに乗
った遊技球８は、それらの傾斜により、中央部１０１ａに転動し、さらに、転動の勢いに
より、反対側まで転動するという動作を繰り返す。転動している遊技球８が、排出部１０
７に至れば、そこから排出される。排出部１０７は始動入賞口２３の上方にあるので、排
出部１０７から排出された遊技球８は高い確率で始動入賞口２３に入る。
【００４３】
（２）遊技球転動ステージ２７が遊技機１から取り外され、水平面上に置かれたときの
作用
上述したように、遊技球転動ステージ２７の傾き（正面―背面方向の傾き、及び左右方
向の傾き）は、水平面Ｌ上に設置した状態と、遊技使用状態とで略同一である。
【００４４】
そのため、遊技球転動ステージ２７を遊技機１に取り付けず、単体で水平面Ｌ上に置い
た状態でも、遊技使用状態と同じ条件で、遊技球の転動試験を行うことができる。その結
果、遊技機１における他の部材が完成しなくても、遊技球の転動試験を行うことができる
ので、遊技球転動ステージ２７の開発期間が短くて済む。
【００４５】
また、上述したように、第２底面部１１１、１１３は、遊技球８を保持する状態として
もよいし、保持しない状態としてもよい。第２底面部１１１、１１３に遊技球８を保持す
るとき（図５（ａ）の状態）は、遊技球８を保持しないとき（図５（ｂ）の状態）よりも
、第２底面部１１１、１１３が高くなり、遊技球転動ステージ２７が正面側に傾くように
なる。
【００４６】
よって、仮に、製造上の誤差等の理由により、遊技球転動ステージ２７を水平面上に置
いたときの傾きが、遊技使用状態における傾きと多少ずれていたとしても、遊技球８を第
２底面部１１１、１１３に保持させることで、遊技球転動ステージ２７の傾きを、遊技使
用状態における傾きと同様となるように調整することができる。
【００４７】
また、上述したように、第２底面部１１１、１１３は、遊技球８を保持することなく水
平面に接地したとき、図５（ｂ）に示すように、それらの接地面１１１ａ、１１３ａが、
水平面とほぼ平行となるように形成されている。そのことにより、遊技球転動ステージ２
７が水平面上に安定して立ち、遊技球８の転動試験における正確性が増す。
【実施例２】
【００４８】
遊技機１の構成は基本的には前記実施例１と同様であるが、遊技球転動ステージ２７の
構成において一部相違する。以下では、その相違点を中心に説明する。
図７に示すように、遊技球転動ステージ２７において、ステージ本体部１０１の下面に
は、ねじ山を形成した一対の棒状部材１１７が立設されている。
【００４９】
第２底面部１１１、１１３は、その上端に、棒状部材１１７の太さと対応する径の穴１
１９が形成されている。そして、その穴１１９の内面には、棒状部材１１７に形成された
ねじ山と対応するピッチのねじ溝が形成されている。第２底面部１１１、１１３は、穴１
１９に棒状部材１１７をねじ込むことで、ステージ本体部１０１に対し固定される。穴１
１９に棒状部材１１７をねじ込む深さは調整可能であり、図７（ａ）に示すように、穴１
１９に棒状部材１１７を浅くしかねじ込まないときは、第２底面部１１１、１１３が高く
なり、遊技球転動ステージ２７は正面側に傾斜し易くなる。一方、図７（ｂ）に示すよう
に、穴１１９に棒状部材１１７を深くねじ込むと、第２底面部１１１、１１３が低くなり
、遊技球転動ステージ２７は背面側に傾斜し易くなる。
【００５０】
よって、穴１１９に棒状部材１１７をねじ込む深さを調整することで、水平面上に置か
れた遊技球転動ステージ２７の正面―背面方向における傾きを容易に変化させ、様々な条
件で転動試験を行うことができる。また、水平面上に置かれた遊技球転動ステージ２７の
正面―背面方向における傾きを、遊技使用状態における傾きと同様となるように調整する
ことができる。
【００５１】
また、第２底面部１１１、１１３の高さを個別に調整することにより、遊技球転動ステ
ージ２７の左右方向における傾きを調整することができる。
【実施例３】
【００５２】
遊技機１の構成は基本的には前記実施例１と同様であるが、遊技球転動ステージ２７の
構成において一部相違する。以下では、その相違点を中心に説明する。
図８に示すように、遊技球転動ステージ２７において、ステージ本体部１０１の下面に
は、内部にねじ溝を切った穴１２１を下方に備えた、一対の筒状部材１２３が立設されて
いる。
【００５３】
第２底面部１１１、１１３は、ビスにより構成され、筒状部材１２３の穴１２１にねじ
込まれることで、ステージ本体部１０１に対し固定される。第２底面部１１１、１１３を
筒状部材１２３の穴１２１にねじ込む深さは調整可能であり、図８（ａ）に示すように、
第２底面部１１１、１１３を筒状部材１２３の穴１２１に浅くしかねじ込まないときは、
第２底面部１１１、１１３が高くなり、遊技球転動ステージ２７は正面側に傾斜し易くな
る。一方、図８（ｂ）に示すように、第２底面部１１１、１１３を筒状部材１２３の穴１
２１に深くねじ込むと、第２底面部１１１、１１３が低くなり、遊技球転動ステージ２７
は背面側に傾斜し易くなる。
【００５４】
よって、第２底面部１１１、１１３を筒状部材１２３の穴１２１にねじ込む深さを調整
することで、水平面上に置かれた遊技球転動ステージ２７の正面―背面方向における傾き
を容易に変化させ、様々な条件で転動試験を行うことができる。また、水平面上に置かれ
た遊技球転動ステージ２７の正面―背面方向における傾きを、遊技使用状態における傾き
と同様となるように調整することができる。
【００５５】
尚、本発明は前記実施の形態になんら限定されるものではなく、本発明を逸脱しない範
囲において種々の態様で実施しうることはいうまでもない。
例えば、前記実施例１において、第２底面部１１１、１１３は、ステージ本体部１０１
の背面側に形成するのではなく、図９に示すように、ステージ本体部１０１の正面−背面
方向における中央付近に形成してもよい。この場合も、図９（ａ）、（ｂ）に示すように
、遊技球８を第２底面部１１１、１１３に保持させるか否かにより、第２底面部１１１、
１１３の高さを調整し、結果として、遊技球転動ステージ２７の傾きを容易に変化させ、
様々な条件で転動試験を行うことができる。また、水平面上に置かれた遊技球転動ステー
ジ２７の正面―背面方向における傾きを、遊技使用状態における傾きと同様となるように
調整することができる。
【００５６】
また、第２底面部１１１、１１３の高さを調整する代わりに、あるいはそれに加えて、
第１底面部１０９の高さを調整できる機構を備え、それによって、遊技球転動ステージ２
７の傾きを調整してもよい。
【符号の説明】
【００５７】
１・・・遊技機、２・・・遊技島、３・・・外枠、５・・・内枠、６・・・遊技盤、８・
・・遊技球、９・・・ハンドル、１２・・・上受け皿、１３・・・下受け皿、
２３・・・始動入賞口、２５・・・大入賞口、２７・・・遊技球転動ステージ、
３５・・・普通図柄始動ゲート、１０１・・・ステージ本体部、１０１ａ・・・中央部、
１０１ｂ・・・左方部、１０１ｃ・・・右方部、１０３・・・仕切板、
１０３ａ・・・切り欠き部、１０５・・・前縁板、１０７・・・排出部、
１０９・・・第１底面部、１１１、１１３・・・第２底面部、１１１ａ・・・接地面、
１１５、１１９、１２１・・・穴、１１７・・・棒状部材、１２３・・・筒状部材
【図１】
0005915786.tif 000003
【図２】
0005915786.tif 000004
【図３】
0005915786.tif 000005
【図４】
0005915786.tif 000006
【図５】
0005915786.tif 000007
【図６】
0005915786.tif 000008
【図７】
0005915786.tif 000009
【図８】
0005915786.tif 000010
【図９】
0005915786.tif 000011
【図１０】
0005915786.tif 000012
【図１１】
0005915786.tif 000013
【図１２】
0005915786.tif 000014
【図１３】
0005915786.tif 000015